(57)【要約】【課題】比較的小さな力で装着できるとともに、容器をがたつくことなく支持可能な容器保持具、この容器保持具の装着方法およびこの容器保持具を用いた容器包装体を提供する。【解決手段】容器保持具３は、容器の頭部の外形よりも小さい外形に形成されていて、弾性変形により押し広げられることにより容器の頭部が挿通してくびれ部（首部）の外側に嵌まる容器保持孔３１を備えている。容器保持孔３１の開口周縁には、容器保持孔３１内に容器のくびれ部（首部）が嵌挿されたとき、屈曲して容器の頭部の側面に当接する支持片３２が等間隔に複数設けられている。各支持片３２は、その先端縁が、平面視において凸曲状に形成されている。【選択図】図６
2011225278.tif 000002
【特許請求の範囲】
【請求項１】
胴部、前記胴部に一体形成される首部、前記首部先端の口部を塞ぐ頭部、および前記胴部の上方に位置する内側に向けて凹むくびれ部を備えた容器の前記くびれ部に装着される容器保持具であって、
前記容器の頭部の外形よりも小さい外形に形成されていて、弾性変形により押し広げられることにより前記頭部が挿通して前記くびれ部の外側に嵌まる容器保持孔を備えており、
前記容器保持孔の開口周縁には、前記容器保持孔内に前記容器のくびれ部が嵌挿されたとき、屈曲して前記容器の頭部および／または首部の側面に当接する支持片が所定領域に設けられている容器保持具。
【請求項２】
請求項１に記載の容器保持具であって、
前記容器の首部が胴部および頭部の外形よりも小さい外形に形成されていて、前記胴部と前記頭部との間に存在する前記首部が前記くびれ部を構成する容器に装着され、
前記各支持片は、前記容器保持孔内に前記容器の首部が嵌挿されたとき、前記頭部の側面に当接することを特徴とする容器保持具。
【請求項３】
請求項１に記載の容器保持具であって、
前記容器の首部の基端部に肉厚が厚い厚肉部が設けられているとともに、前記頭部が前記首部の厚肉部と外形がほぼ同じ大きさに形成されていて、前記くびれ部が前記頭部または前記首部の厚肉部に設けられた容器に装着され、
前記各支持片は、前記容器保持孔内に前記容器のくびれ部が嵌挿されたとき、前記頭部および／または前記首部の厚肉部の側面に当接することを特徴とする容器保持具。
【請求項４】
請求項１に記載の容器保持具であって、
前記容器の頭部の下端部が胴部の上面近くまで達していて、前記くびれ部が前記頭部に設けられた容器に装着され、
前記各支持片は、前記容器保持孔内に前記容器のくびれ部が嵌挿されたとき、前記頭部の側面に当接することを特徴とする容器保持具。
【請求項５】
前記支持片は、前記容器保持孔の開口周縁の等角度位置の複数箇所に設けられていることを特徴とする請求項１〜４のいずれかに記載の容器保持具。
【請求項６】
前記支持片の先端縁は、平面視において凹曲状に形成されていることを特徴とする請求項１〜５のいずれかに記載の容器保持具。
【請求項７】
前記支持片の先端縁の凹曲形状は、前記支持片の先端縁が容器の頭部の上部中央に形成された円形状の目印の一部と一致するように形成されていることを特徴とする請求項６に記載の容器保持具。
【請求項８】
前記支持片の先端縁は、平面視において凸曲状に形成されていることを特徴とする請求項１〜５のいずれかに記載の容器保持具。
【請求項９】
前記支持片の先端縁の凸曲形状は、前記支持片の頂部が容器の頭部の上部中央に形成された円形状の目印上に位置するように形成されていることを特徴とする請求項８に記載の容器保持具。
【請求項１０】
前記容器保持具は、台紙からなることを特徴とする請求項１〜９のいずれかに記載の容器保持具。
【請求項１１】
前記容器保持具は、箱状体からなり、箱状体の底面に前記容器保持孔および支持片が設けられていることを特徴とする請求項１〜９のいずれかに記載の容器保持具。
【請求項１２】
胴部、前記胴部に一体形成される首部、前記首部先端の口部を塞ぐ頭部、および前記胴部の上方に位置する内側に向けて凹むくびれ部を備えた容器の前記くびれ部に容器保持具を装着するための装着方法であって、
弾性を有し、前記容器の頭部の外形よりも小さい外形に形成された容器保持孔を備える容器保持具を前記容器の頭部上に供給する供給工程と、
前記容器の頭部に前記容器保持具の容器保持孔を押し当て、弾性変形により前記容器保持孔を押し広げることにより、前記容器の頭部を前記容器保持孔に挿通して前記容器保持孔内に前記くびれ部を嵌挿するとともに、前記容器保持孔の開口周縁に設けられた支持片を屈曲させて前記頭部および／または前記首部の側面に当接させる取付工程とを備えている容器保持具の装着方法。
【請求項１３】
請求項１２に記載の容器保持具の装着方法であって、
供給された前記容器保持具の容器保持孔の中心が前記容器の頭部の中心と一致するように前記容器保持具と前記容器との位置合わせを行う位置合わせ工程をさらに備え、
前記容器の頭部には、上部中央に円形状の目印が形成されており、
前記支持片の先端縁は、平面視において凹曲状に形成され、かつ、前記頭部の目印の一部と一致する形状に形成されており、
前記支持片の先端縁を前記頭部の目印に一致させることにより、前記容器保持具と前記容器との位置合わせを行うことを特徴とする容器保持具の装着方法。
【請求項１４】
請求項１２に記載の容器保持具の装着方法であって、
供給された前記容器保持具の容器保持孔の中心が前記容器の頭部の中心と一致するように前記容器保持具と前記容器との位置合わせを行う位置合わせ工程をさらに備え、
前記容器の頭部には、上部中央に円形状の目印が形成されており、
前記支持片の先端縁は、平面視において凸曲状に形成され、かつ、その頂部が、前記頭部の目印上に位置するように形成されており、
前記支持片の先端縁の頂部を前記頭部の目印に一致させることにより、前記容器保持具と前記容器との位置合わせを行うことを特徴とする容器保持具の装着方法。
【請求項１５】
請求項１〜１１のいずれかに記載の容器保持具と、胴部、前記胴部に一体形成される首部、前記首部先端の口部を塞ぐ頭部、および前記胴部の上方に位置する内側に向けて凹むくびれ部を備える容器とを備え、
前記容器保持具の容器保持孔内に前記容器のくびれ部が嵌挿されるとともに、前記容器保持孔の開口周縁に設けられた支持片が前記容器の頭部および／または首部の側面に当接することによって、前記容器が前記容器保持具に保持される容器包装体。
【発明の詳細な説明】
【技術分野】
【０００１】
本発明は、容器を陳列用台などに吊り下げた状態で展示する際に容器に装着したり、また、例えば広告・宣伝を容器に掲示したり、あるいはサンプルや小型商品などを容器に付帯したりする際に容器に装着する容器保持具、この容器保持具の装着方法およびこの容器保持具を用いた容器包装体に関する。
【背景技術】
【０００２】
従来より、薬剤、食品、化粧品などの商品を、例えば店頭などに吊り下げた状態で陳列展示できるように包装する手段として、台紙の上に商品を載せた後、商品を収納可能な凹部を有する透明のプラスチックカバーを商品の上から被せて包装するブリスタ包装や、シュリンクフィルムなどの筒状の樹脂製フィルムで商品を包み込んで一体に包装するシュリンク包装などが一般的に知られている。
【０００３】
ここで、上記したブリスタ包装においては、商品を収納可能な凹部の大きさを、商品より大きく形成すると、商品を台紙上の所定位置に保持することができないため、運搬時などにおいて商品が移動して商品の向きや位置が所定位置から大きくずれると、商品の見栄えが悪くなるだけでなく、商品の変形や損傷を招くおそれもある。よって、商品を台紙上の所定位置に保持するためには、商品の外形に応じた凹部をプラスチックカバーに形成する必要があるが、これでは包装対象となる商品の形状が制限され不便である。また、上記したシュリンク包装においては、商品をシュリンクフィルムで包装する際に、台紙と容器の位置がずれてしまうおそれがあり、位置ずれしたまま包装してしまうと、同様に、包装後の商品の見栄えが悪くなる（例えば、特許文献１参照）。
【０００４】
そこで、特に、瓶容器やペットボトルなどの容器を包装する際には、図１８に示すように、台紙１００に容器の首部が係合し得る容器保持孔１０１を設け、この容器保持孔１０１にて容器の首部を受けることにより、容器を所定位置に保持することが一般に行われている。このような容器保持孔１０１は、その径ｒが、容器の頭部の外径より小さく設定されているとともに、容器保持孔１０１から放射状に延びるスリット１０２が複数設けられており、このスリット１０２を介して容器保持孔１０１が容易に拡径することで、容器保持孔１０１は、容器の頭部が容易に通過して首部に係合するようになっている。
【０００５】
また、瓶容器やペットボトルなどの容器は、キャンペーンなどの広告・宣伝を容器に掲示したり、サンプルや小型商品（いわゆる、「おまけ」）などを容器に付帯させたりする際に、広告内容を記載したラベルや、おまけを収容した箱を、容器の首部に装着した状態で、陳列・販売することが広く行われている。この場合においても、ラベルや箱の底部に、上述したような容器の首部が係合し得る容器保持孔を形成し、この容器保持孔に容器の首部を係合させることにより、ラベルや箱を容器に装着するようにするのが一般的である（例えば、特許文献２参照）。
【先行技術文献】
【特許文献】
【０００６】
【特許文献１】特開平８−１０４３１０号公報
【特許文献２】特開２０００−９８８９５号公報
【発明の概要】
【発明が解決しようとする課題】
【０００７】
しかしながら、上記した図１８の構成の容器保持孔１０１では、容器保持孔１０１の径ｒが容器の首部の径よりも大き過ぎると、容器保持孔１０１内に容器の首部をセットしても、容器保持孔１０１内で容器の首部ががたつき、これにより、場合によって容器が台紙などから外れたりするなどの問題点がある。一方、容器保持孔１０１の径を小さくして容器の首部とほぼ同じ大きさにすると、容器保持孔１０１内に容器の頭部を通して首部をセットする際に、容器保持孔１０１を拡径するために多大な力が必要となる。
【０００８】
本発明は、上記した問題に着目してなされたものであり、比較的小さな力で装着できるとともに、がたつくことなく容器を支持することができる容器保持具、この容器保持具の装着方法、およびこの容器保持具を用いた容器包装体を提供することを目的とする。
【課題を解決するための手段】
【０００９】
本発明の上記目的は、胴部、前記胴部に一体形成される首部、前記首部先端の口部を塞ぐ頭部、および前記胴部の上方に位置する内側に向けて凹むくびれ部を備えた容器の前記くびれ部に装着される容器保持具であって、前記容器の頭部の外形よりも小さい外形に形成されていて、弾性変形により押し広げられることにより前記容器の頭部が挿通して前記くびれ部の外側に嵌まる容器保持孔を備えており、前記容器保持孔の開口周縁には、前記容器保持孔内に前記容器のくびれ部が嵌挿されたとき、屈曲して前記頭部および／または前記首部の側面に当接する支持片が所定領域に設けられている容器保持具により達成される。
【００１０】
本発明の好ましい一実施態様の容器保持具は、前記容器の首部が胴部および頭部の外形よりも小さい外形に形成されていて、前記胴部と前記頭部との間に存在する前記首部が前記くびれ部を構成する容器に装着され、前記各支持片は、前記容器保持孔内に前記容器の首部が嵌挿されたとき、前記頭部の側面に当接することを特徴としている。
【００１１】
本発明の好ましい他の実施態様の容器保持具は、前記容器の首部の基端部に肉厚が厚い厚肉部が設けられているとともに、前記頭部が前記首部の厚肉部と外形がほぼ同じ大きさに形成されていて、前記くびれ部が前記頭部または前記首部の厚肉部に設けられた容器に装着され、前記各支持片は、前記容器保持孔内に前記容器のくびれ部が嵌挿されたとき、前記頭部および／または前記首部の厚肉部の側面に当接することを特徴としている。
【００１２】
本発明の好ましい他の実施態様の容器保持具は、前記容器の頭部の下端部が胴部の上面近くまで達していて、前記くびれ部が前記頭部に設けられた容器に装着され、前記各支持片は、前記容器保持孔内に前記容器のくびれ部が嵌挿されたとき、前記頭部の側面に当接することを特徴としている。
【００１３】
本発明のさらに好ましい実施態様においては、前記支持片は、前記容器保持孔の開口周縁の等角度位置の複数箇所に設けられていることを特徴としている。
【００１４】
本発明のさらに好ましい実施態様においては、前記支持片の先端縁は、平面視において凹曲状に形成されていることを特徴としている。
【００１５】
上記した構成の容器保持具において、前記支持片の先端縁の凹曲形状は、前記支持片の先端縁が容器の頭部の上部中央に形成された円形状の目印の一部と一致するように形成されていることが好ましい。
【００１６】
本発明のさらに好ましい他の実施態様においては、前記支持片の先端縁は、平面視において凸曲状に形成されていることを特徴としている。
【００１７】
上記した構成の容器保持具において、前記支持片の先端縁の凸曲形状は、前記支持片の頂部が容器の頭部の上部中央に形成された円形状の目印上に位置するように形成されていることが好ましい。
【００１８】
本発明のさらに好ましい実施態様においては、前記容器保持具は、台紙からなることを特徴としている。
【００１９】
本発明のさらに好ましい他の実施態様においては、前記容器保持具は、箱状体からなり、箱状体の底部に前記容器保持孔および支持片が設けられていることを特徴としている。
【００２０】
また、本発明の上記目的は、胴部、前記胴部に一体形成される首部、前記首部先端の口部を塞ぐ頭部、および前記胴部の上方に位置する内側に向けて凹むくびれ部を備えた容器の前記くびれ部に容器保持具を装着するための装着方法であって、弾性を有し、前記容器の頭部の外形よりも小さい外形に形成された容器保持孔を備える容器保持具を前記容器の頭部上に供給する供給工程と、前記容器の頭部に前記容器保持具の容器保持孔を押し当て、弾性変形により前記容器保持孔を押し広げることにより、前記容器の頭部を前記容器保持孔に挿通して前記容器保持孔内に前記くびれ部を嵌挿するとともに、前記容器保持孔の開口周縁に設けられた支持片を屈曲させて前記頭部および／または前記首部の側面に当接させる取付工程とを備えている容器保持具の装着方法によって達成される。
【００２１】
本発明の好ましい実施態様においては、供給された前記容器保持具の容器保持孔の中心が前記容器の頭部の中心と一致するように前記容器保持具と前記容器との位置合わせを行う位置合わせ工程をさらに備え、前記容器の頭部には、上部中央に円形状の目印が形成されており、前記支持片の先端縁は、平面視において凹曲状に形成され、かつ、前記頭部の目印の一部と一致する形状に形成されており、前記支持片の先端縁を前記頭部の目印に一致させることにより、前記容器保持具と前記容器との位置合わせを行うことを特徴としている。
【００２２】
本発明の好ましい他の実施態様においては、供給された前記容器保持具の容器保持孔の中心が前記容器の頭部の中心と一致するように前記容器保持具と前記容器との位置合わせを行う位置合わせ工程をさらに備え、前記容器の頭部には、上部中央に円形状の目印が形成されており、前記支持片の先端縁は、平面視において凸曲状に形成され、かつ、その頂部が、前記頭部の目印上に位置するように形成されており、前記支持片の先端縁の頂部を前記頭部の目印に一致させることにより、前記容器保持具と前記容器との位置合わせを行うことを特徴としている。
【００２３】
また、本発明の上記目的は、上記した容器保持具と、胴部、前記胴部に一体形成される首部、前記首部先端の口部を塞ぐ頭部、および前記胴部の上方に位置する内側に向けて凹むくびれ部を備える容器とを備え、前記容器保持具の容器保持孔内に前記容器のくびれ部が嵌挿されるとともに、前記容器保持孔の開口周縁に設けられた支持片が前記容器の頭部および／または首部の側面に当接することによって、前記容器が前記容器保持具に保持される容器包装体によって達成される。
【００２４】
上記した構成の容器包装体においては、前記容器保持具に保持される容器全体を被包する樹脂製フィルムをさらに備えることが好ましい。また、前記容器保持具には、端部に吊下げ用の鉤部材が引っ掛けられる貫通孔が設けられていることが好ましい。
【発明の効果】
【００２５】
本発明によれば、比較的小さな力で装着できるとともに、容器をがたつくことなく保持することができる容器保持具、この容器保持体を容器に装着するための装着方法、および、この容器保持具により容器が保持された包装体を提供することができる。
【図面の簡単な説明】
【００２６】
【図１】本発明の一実施形態である容器包装体の外観を示す斜視図である。
【図２】図１の背面図である。
【図３】図１の縦断面図である。
【図４】容器の正面図である。
【図５】容器の平面図である。
【図６】本発明の一実施形態である容器保持具の平面図である。
【図７】他の実施形態の容器保持具の平面図である。
【図８】他の実施形態の容器保持具の平面図である。
【図９】他の実施形態の容器保持具の平面図である。
【図１０】図９の容器保持孔の拡大図である。
【図１１】他の実施形態の容器保持具の平面図である。
【図１２】他の実施形態の容器保持具の平面図である。
【図１３】他の実施形態の容器の正面図である。
【図１４】他の実施形態の容器の正面図である。
【図１５】他の実施形態の容器の正面図である。
【図１６】他の実施形態の容器保持具の斜視図である。
【図１７】図１６の実施形態の容器保持具の縦断面図である。
【図１８】従来例の容器保持具の平面図である。
【発明を実施するための形態】
【００２７】
図１および図２には、本発明の一実施形態である容器包装体１の外観が、また図３には、図１および図２に示す実施形態の容器包装体１の構造が、それぞれ示してある。なお、図２および図３では、図１において図示されている樹脂製フィルム４が省略されている。図示例の容器包装体１は、商品として薬液、化粧品、香料、飲料水などの内容物が内部に充填された容器２を包装してかつ陳列するためのもので、容器２を横倒しの状態で支持する容器保持具３と、容器２を容器保持具３と一体に包装する樹脂製フィルム４とを含んでいる。
【００２８】
容器２は、図４および図５に示すように、内容物を貯留する胴部２１と、胴部２１に連続して一体形成された円筒状の首部２２と、首部２２の先端部に設けられた胴部２１内の内容物を注出するための口部２３を密閉する頭部２０とを有する構成のものである。頭部２０は、首部２２に着脱可能に被せられるキャップ２４からなる。首部２２は、その外形が胴部２１および頭部２０の外形よりも小さい外形に形成されていて、頭部２０と胴部２１との間に存在する首部２２により、胴部２１の上方位置に、容器２の内側に向けて凹むくびれ部２６が形成されている。このくびれ部２６に容器保持具３が装着される。
【００２９】
この容器２としては、ガラス瓶やペットボトル、金属缶など、形態や素材などが種々の態様のものを適用できる。頭部２０の上部中央（つまり、キャップ２４の上部中央）には、詳細は後述するが、容器保持具３を容器２に装着させる際に、容器２と容器保持具３との位置合わせを容易にするための円形状の目印２５が形成されている。
【００３０】
本実施形態の容器保持具３は、図１〜図３、および図６に示すように、弾性を有するシート材からなり、例えば、厚紙材からなる略矩形状の台紙により構成できる。なお、容器保持具３を構成するシート材としては、弾性を有していれば、台紙の他、例えば、樹脂製シート、金属製シート、あるいは、これらの積層体を用いてもよい。
【００３１】
容器保持具３の上端側の幅中央部には、吊り下げ用の鉤部材（図示せず）を引っ掛けることが可能な円形状の貫通孔３０が開設されている。この貫通孔３０に陳列用のパネル（図示せず）に設けられた前記鉤部材を引っ掛けて、容器包装体１を吊り下げ状態で支持することで、商品である容器２を陳列することが可能となっている。
【００３２】
容器保持具３の下端側の幅中央部には、容器２のくびれ部２６（首部２２）が嵌まることが可能な容器保持孔３１が形成されている。この容器保持孔３１にて容器２のくびれ部２６（首部２２）を保持することにより、容器２が容器保持具３に支持される。容器保持孔３１の外形は、本実施形態では、容器２の頭部２０および首部２２の形状に相応するように円形状に形成されており、その径Ｒ（図６に示す）は、容器２の頭部２０の外径Ｒ１（図４に示す）よりも小さく、かつ、容器２の首部２２の外径Ｒ２（図４に示す）よりも大きく設定されている。
【００３３】
容器２の頭部２０を容器保持孔３１内に押し込むときは、容器保持具３は弾性があるので、容器保持孔３１を押し広げることで、容器２の頭部２０は容器保持孔３１を難なく通過し、容器２の頭部２０が容器保持孔３１を通過した後は、容器保持孔３１はもとの狭い状態に戻って容器２のくびれ部２６（首部２２）の外側に嵌まる。よって、容器保持孔３１内に嵌挿された容器２のくびれ部２６（首部２２）は、容器２の頭部２０が容器保持孔３１に引っ掛かることで、容易に容器保持孔３１から脱出することができず、容器保持孔３１内で保持されるようになっている。
【００３４】
容器保持孔３１の開口周縁には、所定の領域に、内方に向けて突き出る支持片３２が突設されている。この支持片３２の基端部は容器保持具３に一体に連なっており、この連なった部分を折曲部として支持片３２は上下に屈曲することが可能である。この支持片３２は、容器保持孔３１内に容器２のくびれ部２６（首部２２）が嵌挿されたとき、外側（奥側）へ開くように屈曲して容器２の頭部２０の側面に接し、弾性力により容器２の頭部２０を側方から支える。よって、容器２のくびれ部２６（首部２２）は、容器保持孔３１内でがたつくことなくしっかりと保持されるようになっている。
【００３５】
本実施形態では、支持片３２は、容器保持孔３１の開口周縁の等角度位置の複数箇所（図示例では４箇所）に設けられており、これにより、容器２の頭部２０を各支持片３２により均等に支えることができるようになっている。なお、各支持片３２は、容器保持具３を切り欠くことによって容器保持孔３１を形成する際に、各支持片３２に対応する部分を切り取らずに残すことによりそれぞれ形成されている。
【００３６】
各支持片３２は、その先端縁が、平面視において凸曲状に形成されている。本実施形態では、支持片３２の全体がなだらかな丸い山形状に形成されている。また、各支持片３２は、左右対称の形状を有しており、それぞれの頂部３３が、所定の径を有する円の上に乗る、具体的には、容器２の頭部２０の上部中央に形成された円形状の目印２５上に乗るように形成されている。これにより、後述するように、容器保持具３を容器２に装着させる際に、容器保持孔３１の中心Ｏ１を容器２の頭部２０の中心Ｏ２に合わせる位置合わせを容易に行えるようになっている。また、本実施形態では、各支持片３２の頂部３３が丸みを帯びていることで、頂部が尖っている場合と比べると、頂部３３が潰れにくくなっており、容器保持孔３２と容器２の頭部２０との位置合わせを不利なく行えるようになっている。
【００３７】
なお、各支持片３２の平面視形状は、本実施形態の形状に限られるものではない。例えば図７に示す実施形態のように、頂部３３のみが丸い略台形の山形状であってもよい。また、図８に示す実施形態のように、各支持片３２の先端縁が、平面視において凹曲状に形成されていてもよい。この図８に示す実施形態においては、各支持片３２の先端縁の凹曲形状は、各支持片３２の先端縁が、それぞれ所定の径を有する円の一部を構成する、具体的には、容器２の頭部２０の円形状の目印２５の一部と一致するような形状に形成されている。これによっても、後述する容器保持具３を容器２に装着させる際に、容器保持孔３１の中心Ｏ１を容器２の頭部２０の中心Ｏ２に合わせる位置合わせを容易に行えるようになっている。
【００３８】
さらに、容器保持孔３の外形は、円形状に限られるものではなく、容器２の頭部２０の形状に相応して変化させたり、あるいは、容器２の頭部２０に引っ掛かるのであれば、容器２の頭部２０の形状とは関係のないその他種々の形状を採用することもでき、その形状は問わない。例えば、図９および図１０に示す実施形態のように、容器保持孔３１の外形を、容器２の頭部２０の外形よりも小さい多角形状に形成するようにしてもよい。なお、この実施形態では、８個の支持片３２が、容器保持孔３１の開口周縁に等間隔で配設されている。このように、容器保持孔３１の開口周縁に配設する支持片３２の数も任意に設定することができる。
【００３９】
また、この図９に示す実施形態では、容器保持孔３１，３１が上下二段に設けられており、各容器保持孔３１，３１に容器２のくびれ部２６（首部２２）を嵌め込むことで、１つの容器保持具３に２個の容器２を上下で支持することができるようになっている。このように、容器保持具３に設ける容器保持孔３１の数も任意に設定することができる。
【００４０】
また、複数の支持片３２を、必ずしも、容器保持孔３１の開口周縁に等間隔で配置する必要はなく、各支持片３２間の間隔をそれぞれ変えたり、さらには、図１１に示す実施形態のように、複数（図示例では３つ）の支持片３２を間隔を設けずに並べて配置して支持片の列３４を形成し、この支持片の列３４を容器保持孔３１の開口周縁の複数箇所（図示例では２箇所）に設けるようにしてもよい。
【００４１】
また、図１２に示す実施形態のように、多数（図示例では７つ）の支持片３２を間隔を設けずに並べて配置することで、１つの支持片の列３４を、容器保持孔３１の開口周縁の半分以上の領域に及ぶようにして設けてもよい。この図１２に示す実施形態においては、この支持片の列３４は、容器保持孔３１内に容器２のくびれ部２６（首部２２）が嵌挿されたとき、容器２の頭部２０側面の少なくとも上半分側に当接するように、容器保持孔３１の開口周縁に設けられることが好ましい。容器保持孔３１にてくびれ部２６（首部２２）が保持されることで容器２が容器保持具３に横倒しの状態で支持される状態では、容器２の頭部２０と胴部２１との重さの差により、胴部２１がその自重により垂れ下がるとともに頭部２０が浮きあがって、容器２が下方に傾くおそれがある。しかし、この支持片の列３４によって、容器２の頭部２０側面の上半分側を支えることにより、容器２の頭部２０の浮きあがりが抑制される結果、容器２が下方に傾くことを防止でき、よって、容器２をがたつくことなくしっかりと支持できるようになっている。
【００４２】
容器保持具３の下端部には、舌片３５が下方に向かって一体に連設されている。この舌片３５は、折曲げ線３６によって前方側へ折り曲げることができるように構成されており、横倒しの状態で支持された容器２の側面に当接して、容器２を下方から支える。これにより、容器包装体１を吊り下げ状態でなくとも、台上などに載置して陳列することが可能となっている。
【００４３】
また、容器保持具３に容器２をより確実に保持するため、以下のように樹脂製フィルム４を巻いてもよい。容器保持具３の両側端部には、容器２が取り付けられる取付領域の上方位置に、Ｖ字状の切欠部３７が形成されている。この各切欠部３７および容器保持具３の下端両側の角部３８に樹脂製フィルム４を引っ掛けることで、樹脂製フィルム４をずれることなく容器保持具３にセットすることが可能となっている。なお、容器保持具３の両側端部の容器２の取付領域の下方位置にもＶ字状の切欠部を形成し、上下の切欠部にて樹脂製フィルム４を引っ掛けるような構成にしてもよい。
【００４４】
樹脂製フィルム４は、容器保持具３の表面に容器２が保持された状態で、これらを一体に囲繞することにより、容器２を包装して保護するとともに容器保持具３に容器２をしっかりと固定させるものである。この樹脂製フィルム４としては、例えば、シュリンクフィルム、ラップフィルムなどが用いられる。
【００４５】
なお、樹脂製フィルム４に代えて、容器２を収納可能な凹部を有する透明のプラスチックカバーにより、容器２の包装を行うようにしてもよい。このプラスチックカバーは、接着や係合手段などの公知の方法により、容器包装具３の表面に取り付けることが可能である。
【００４６】
次に、上記構成を備えた容器包装体１を使用する方法について説明する。まず、容器２を立てた状態で載置して、容器２の頭部２０上に、シート状の容器保持具３を供給する。このとき、容器保持具３に設けられた容器保持孔３１の中心Ｏ１が容器２の頭部２０の中心Ｏ２と一致するように、容器保持具３を容器２上に供給する。容器保持具３と容器２の位置合わせは、容器２の頭部２０に設けられた円形の目印２５（図２に示す）と、容器保持孔３１の開口周縁に設けられた支持片３２とを用いて行うことができる。
【００４７】
つまり、図６および図７に示す実施形態のように、容器保持孔３１に設けられた支持片３２の先端縁が凸曲状に形成されている場合には、各支持片３２の先端縁の頂部３３が容器２の頭部２０の目印２５上にそれぞれ配置されるように、容器保持具３の位置を調整することにより、容器保持孔３１の中心Ｏ１と容器２の頭部２０の中心Ｏ２との位置合わせを行うことができる。一方、図８〜図１２に示す実施形態のように、容器保持孔３１に設けられた支持片３２の先端縁が凹曲状に形成されている場合には、各支持片３２の先端縁が容器２の頭部２０の目印２５の一部とそれぞれ一致するように、容器保持具３の位置を調整することにより、容器保持孔３１の中心Ｏ１と容器２の頭部２０の中心Ｏ２との位置合わせを行うことができる。
【００４８】
次に、容器保持具３を下方に降ろして、容器２の頭部２０に容器保持具３の容器保持孔３１を押し当て、容器２の頭部２０により容器保持孔３１を拡径させる。その結果、容器２の頭部２０が容器保持孔３１を通過して、容器２のくびれ部２６（首部２２）の外側に容器保持孔３１が嵌まる。この際、容器保持孔３１の開口周縁に設けられた各支持片３２は、容器２の頭部２０によって上側に折り曲げられることにより、弾性力により容器２の頭部２０の側面に当接して、容器２の頭部２０を側方から支持する。
【００４９】
このようにして容器保持具３が装着された容器２は、その頭部２０が各支持片３２によって側方から支持されているので、くびれ部２６（首部２２）が容器保持孔３１内でがたつくことなくしっかりと保持される。その結果、容器保持具３に支持された容器２ががたついたり、がたつきにより容器保持具３から容易に抜け落ちて外れたりすることが防止される。加えて、各支持片３２により、くびれ部２６（首部２２）が容器保持孔３１内でがたつくことなくしっかりと保持されているので、容器保持孔３１の径Ｒ（図６に示す）を、容器２のくびれ部２６（首部２２）と同程度まで小さくしてくびれ部２６（首部２２）ががたつかないようにしておく必要はなく、容器２の頭部２０の径Ｒ１（図３に示す）より小さければ、比較的大きな径に設定することもできる。その結果、容器保持孔３１内に容器２の頭部２０を挿入する際に、比較的小さな力で容器保持孔３１を拡径させることができる。
【００５０】
最後に、容器２および容器保持具３を樹脂製フィルム４で一体に囲繞することにより、包装を行う。こうして、容器２を包装した容器包装体１は、出荷された後、店頭で吊り下げ状態などで陳列される。
【００５１】
以上、本発明の一実施形態について説明したが、本発明の具体的な態様は上記実施形態に限定されない。例えば、上記した実施形態においては、容器２の胴部２１と頭部２０との間に存在する内側に凹む首部２２がくびれ部２６を構成しているが、必ずしもこれに限られるものではなく、くびれ部２６は、図１３に示す構成のものであってもよい。図１３の実施形態においては、容器２は、頭部２０の下端部が下方に向けて延びて、容器２の胴部２１の上面近くまで達しており、頭部２０が首部２２のほぼ全体を覆って頭部２０と胴部２１との間には隙間がほとんどなく、頭部２０と胴部２１との間に内側に凹む部分を有さない構成になっている。この実施形態においては、容器２の頭部２０の下部に、外周面を容器２の内側に向けて一周にわたって凹ませることで、長径を他の部分よりも短くしたくびれ部２６を設けている。なお、この実施形態の容器２および容器保持具３も、基本的な構成は上記した実施形態の構成と同様であり、ここでは対応する構成に同一の符号を付することで詳細な説明を省略する。
【００５２】
この実施形態においては、容器保持孔３１内に容器２の頭部２０が挿入されると、容器２の頭部２０により容器保持孔３１が拡径し、その結果、容器２の頭部２０に設けられたくびれ部２６の外側に容器保持孔３１が嵌まる。この際、容器保持孔３１の開口周縁に設けられた各支持片３２は、容器２の頭部２０によって上側に折り曲げられることにより、弾性力により容器２の頭部２０の側面に当接して、容器２の頭部２０を側方から支持する。このように、本実施形態によれば、頭部２０と胴部２１との間に内側にくびれる部分を有さない形態の容器２についても、上記した頭部２０と胴部２１との間に内側にくびれる部分を備える形態の容器２と同様の作用・効果を得られる。
【００５３】
また、容器２は、その成形方法によっては独自の形態を有するものもあり、例えば図１４に示すように、その成形方法の特性上、首部２２の基端部（首部２２の胴部２１との境界部）に、部分的に肉厚に形成された厚肉部２２Ａを有するものもある。このような図１４に示す容器２については、容器２の頭部２０の外形を、頭部２０に覆われずに外部に露出する首部２２の厚肉部２２Ａの外形とほぼ同じ大きさに形成するとともに、首部２２の厚肉部２２Ａの外周面に、容器２の内側に向けて凹むくびれ部２６を設けることによっても、上記した実施形態と同様の作用・効果を得られる。
【００５４】
つまり、容器保持孔３１内に容器２の頭部２０が挿入されると、容器２の頭部２０により容器保持孔３１が拡径する。その結果、容器２の頭部２０が容器保持孔３１を通過して、首部２２の厚肉部２２Ａに設けられたくびれ部２６の外側に容器保持孔３１が嵌まる。この際、容器保持孔３１の各支持片３２は、容器２の頭部２０によって上側に折り曲げられることにより、弾性力により容器２の厚肉部２２Ａおよび頭部２０の側面に当接して、容器２を側方から支持するため、容器２が容器保持具３に横倒しの状態で支持される。
【００５５】
なお、図１４の実施形態においては、くびれ部２６を首部２２の厚肉部２２Ａに設けたが、図１５に示すように、くびれ部２６を頭部２０の外周面の下部に設けるように構成しても、上記した実施形態と同様の作用・効果を得られる。
【００５６】
また、上記した実施形態では、容器２を支持するための支持具として本発明の容器保持具が用いられているが、例えば、お茶、コーヒーのような飲料水を入れたペットボトルなどの容器２の販売に際し、アクセサリー、模型、お菓子のような小物商品をおまけとして収納して容器２に付帯することのできる商品収容具としても本発明の容器保持具を用いることもできる。
【００５７】
この実施形態の容器保持具５は、図１６および図１７に示すように、内部におまけＤを収容可能な収容空間５０を有する箱状体により構成されている。容器保持具５の底部中央部には、容器２のくびれ部２６（首部２２）が嵌まることが可能な容器保持孔５３が形成されている。この容器保持孔５３は、上記した実施形態の容器保持孔３１と同様の構成を有しており、その径Ｒが、容器２の頭部２０の外径Ｒ１よりも小さく、かつ、容器２の首部２２の外径Ｒ２よりも大きく設定されているとともに、容器保持孔５３の開口周縁には、容器保持孔５３内に容器２のくびれ部２６（首部２２）が嵌挿されたとき、容器保持具５の内部に屈曲して容器２の頭部２０の側面に当接する支持片５４が複数設けられている。
【００５８】
この実施形態の容器保持具５においても、容器２に容器保持具５が装着された際、容器２の頭部２０が、上方に屈曲した各支持片５４によって弾性力により側方から支持されるので、くびれ部２６（首部２２）が容器保持孔５３内でがたつくことなくしっかりと保持される。その結果、容器保持具５が容器２に対してがたついたり、がたつきにより容器２から容易に外れたりするのが防止される。加えて、各支持片５４により、容器２のくびれ部２６（首部２２）を容器保持孔３１内にてしっかりと保持するので、容器保持孔５３の径を、容器２のくびれ部２６（首部２２）と同程度まで小さくする必要はなく、容器２の頭部２０の径より小さければ、比較的大きな径に設定することもできるので、容器２のくびれ部２６（首部２２）に容器保持具５を簡単に装着することができる。
【００５９】
なお、この実施形態では、おまけＤは、容器２の頭部２０上や、あるいは、容器保持具５の内壁と容器２の頭部２０外週面との間に配置されるようになるが、容器保持具５の内部の収容空間５０を仕切りなどにより上下に二分割して、おまけＤを収容可能なおまけ収容空間、および、容器２の頭部２０を収容可能な容器収容空間の二つの空間を形成するようにしてもよい。
【００６０】
また、この実施形態では、容器保持具５を箱状体により構成しているが、これに限られるものではなく、例えば、おまけＤが軽量のものであれば、容器保持具５をラベル状に形成し、このラベル状の容器保持具５におまけＤを取り付けて、容器２の首部２２に吊り下げるように構成しても構わない。
【符号の説明】
【００６１】
１    容器包装体
２    容器
３    容器保持具
４    樹脂製フィルム
２０  頭部
２１  胴部
２２  首部
２３  口部
２４  キャップ
２５  目印
２６  くびれ部
３０  貫通孔
３１  容器保持孔
３２  支持片
【図１】
2011225278.tif 000003
【図２】
2011225278.tif 000004
【図３】
2011225278.tif 000005
【図４】
2011225278.tif 000006
【図５】
2011225278.tif 000007
【図６】
2011225278.tif 000008
【図７】
2011225278.tif 000009
【図８】
2011225278.tif 000010
【図９】
2011225278.tif 000011
【図１０】
2011225278.tif 000012
【図１１】
2011225278.tif 000013
【図１２】
2011225278.tif 000014
【図１３】
2011225278.tif 000015
【図１４】
2011225278.tif 000016
【図１５】
2011225278.tif 000017
【図１６】
2011225278.tif 000018
【図１７】
2011225278.tif 000019
【図１８】
2011225278.tif 000020